(57)【特許請求の範囲】
【請求項１】
複数のパチンコ機が配設されると共に、該各パチンコ機又はその関連機器の稼働状態を表す所定の状態信号を出力する状態検出手段と、該状態検出手段からの前記状態信号を入力して、前記パチンコ機による営業状態を管理するための所定の管理データを算出する管理装置と、を備えたパチンコ遊技場に用いられ、該パチンコ遊技場に発生した不正行為を検出するための保安装置であって、
前記状態検出手段からの前記状態信号を前記状態信号の管理装置への出力とは別の系統から入力する第１の入力手段と、
該第１の入力手段によって入力された前記状態信号に基づき、前記管理装置が算出する管理データと同一の管理データを算出するデータ算出手段と、
前記管理装置によって算出された管理データを入力する第２の入力手段と、
該第２の入力手段によって入力された管理データと前記データ算出手段により算出された管理データとを比較し、前記第２の入力手段によって入力された管理データと前記データ算出手段により算出された管理データとの差を算出する比較手段と、
該比較手段で算出された差の値が所定範囲外であるか否かを判定する判定手段と、
前記比較手段で算出された差の値が所定範囲外であると前記判定手段が判定した場合に、不正行為の発生を出力する出力手段と、
を備えたことを特徴とするパチンコ遊技場の保安装置。
【請求項２】
前記状態検出手段からの前記状態信号を所定の多重信号に変換する手段を備え、
前記第１の入力手段は、前記多重信号を、前記状態検出手段からの前記状態信号として入力すること、
を特徴とする請求項１に記載のパチンコ遊技場の保安装置。
【請求項３】
請求項１又は請求項２に記載のパチンコ遊技場の保安装置において、
前記出力手段は、前記判定手段の判定結果を、当該保安装置から離れた位置に配設された所定の端末装置へ所定の伝送路を介して出力すること、
を特徴とするパチンコ遊技場の保安装置。
【請求項４】
当該保安装置は、所定の隔離手段に収納されて外部から操作不能に設けられたこと、
を特徴とする請求項３に記載のパチンコ遊技場の保安装置。
【請求項５】
請求項３又は請求項４に記載のパチンコ遊技場の保安装置において、
前記出力手段は、前記第２の入力手段によって入力された管理データを前記端末装置へ出力すること、
を特徴とするパチンコ遊技場の保安装置。
【請求項６】
請求項３ないし請求項５の何れかに記載のパチンコ遊技場の保安装置において、
当該パチンコ遊技場にて人の侵入や火災の発生等を検出するために設けられた他の保安機器からの検出信号を入力する第３の入力手段を備えると共に、
前記出力手段は、前記第３の入力手段によって入力された前記検出信号を前記端末装置へ出力すること、
を特徴とするパチンコ遊技場の保安装置。
【発明の詳細な説明】
【０００１】
【産業上の利用分野】
本発明は、パチンコ遊技場の運営を適正化するための保安装置に関し、特にパチンコ遊技場の営業状態を管理する管理装置への不正行為を検出するための保安装置に関する。
【０００２】
【従来の技術】
従来より、パチンコ遊技場（パチンコホール）においては、パチンコ機を複数台並べたパチンコ遊技島（以下、単に遊技島という）を構成すると共に、遊技島の上部にパチンコ玉を配給するための配給樋を設け、この配給樋から夫々分岐した所定の供給筒を介して、各パチンコ機へ、入賞時に遊技者へ払い出されるパチンコ玉を常時補給するようにしている。また、各パチンコ機から発射されたパチンコ玉は、パチンコ機下部のアウト玉排出口から遊技島の下部に設けられた回収樋へ排出され、その後、玉揚送装置によって上記配給樋へ供給されるように構成されている。
【０００３】
ここで、上記各供給筒と各アウト玉排出口とには、そこを通過したパチンコ玉の数を検出する玉計数器が夫々設けられており、各玉計数器からの検出信号は、パチンコ遊技場の営業状態を管理するためのホール管理コンピュータ（管理装置）へ入力されるようになっている。また、所定の遊技条件が成立すると通常状態よりも入賞確率の高い特賞状態（大当り状態）になるパチンコ機では、パチンコ機自身が、特賞状態であることを示す特賞信号等を出力するように構成されており、ホール管理コンピュータへは、上記各玉計数器からの検出信号の他にも、パチンコ機からの各種信号や、玉貸機から出力される貸出玉数を表す検出信号等、各パチンコ機及びその関連機器の稼働状態を表す様々な信号（状態信号）が入力されるようになっている。
【０００４】
そして、ホール管理コンピュータは、各パチンコ機及びその関連機器から出力される様々な信号に基づいて、パチンコ機による営業状態を管理するための様々なデータ（管理データ）を算出するように構成されている。
例えば、ホール管理コンピュータは、供給筒に設けられた玉計数器からの検出信号に基づいて、パチンコ機から遊技者に払い出されるパチンコ玉の数（以下、セーフ玉数という）を累積計数すると共に、アウト玉排出口に設けられた玉計数器からの検出信号に基づいて、パチンコ機から発射されたパチンコ玉の数（以下、アウト玉数という）を累積計数し、各パチンコ機或いは全パチンコ機の所定期間におけるアウト玉数とセーフ玉数との差（差玉）を、利益状態を表すデータとして算出する。また、パチンコ機から特賞信号が出力されている間に計数したセーフ玉数及びアウト玉数を、夫々特に、特賞中セーフ玉数及び特賞中アウト玉数として記憶し、その各値と、総セーフ玉数及び総アウト玉数とに基づいて、パチンコ機の入賞特性を把握するためのデータを算出する。
【０００５】
そして、パチンコ遊技場の経営者（オーナ）は、ホール管理コンピュータによって算出された様々な管理データを参照して、パチンコ遊技場の運営を行うようにしている。
【０００６】
【発明が解決しようとする課題】
ところが、上記従来のパチンコ遊技場においては、ホール管理コンピュータが管理データを算出するために実行する演算プログラムや、上記玉計数器等の状態検出手段からホール管理コンピュータへ至るまでの信号経路等に、何等かの細工を加えて、ホール管理コンピュータにて正確な管理データが算出されないようにする、といった不正行為が発生する虞がある。
【０００７】
即ち、ホール管理コンピュータによって正確な管理データが算出されなくなれば、経営者はパチンコ遊技場の営業状態を正確に把握することができなくなるため、例えば、パチンコ遊技場の従業員（特に、店長等の幹部従業員）が、実際の利益と管理データから把握される利益との差額を着服する、といった不正を行う可能性がある。
【０００８】
そこで、本発明では、パチンコ遊技場の営業状態を正確に把握するために、パチンコ遊技場内での不正又は異常を検出する保安装置の提供を目的としている。
【０００９】
【課題を解決するための手段】
上記目的を達成するためになされた請求項１に記載の本発明は、図１に例示する如く、複数のパチンコ機が配設されると共に、該各パチンコ機又はその関連機器の稼働状態を表す所定の状態信号を出力する状態検出手段と、該状態検出手段からの前記状態信号を入力して、前記パチンコ機による営業状態を管理するための所定の管理データを算出する管理装置と、を備えたパチンコ遊技場に用いられ、該パチンコ遊技場に発生した不正行為を検出するための保安装置であって、前記状態検出手段からの前記状態信号を前記状態信号の管理装置への出力とは別の系統から入力する第１の入力手段と、該第１の入力手段によって入力された前記状態信号に基づき、前記管理装置が算出する管理データと同一の管理データを算出するデータ算出手段と、前記管理装置によって算出された管理データを入力する第２の入力手段と、該第２の入力手段によって入力された管理データと前記データ算出手段により算出された管理データとを比較し、前記第２の入力手段によって入力された管理データと前記データ算出手段により算出された管理データとの差を算出する比較手段と、該比較手段で算出された差の値が所定範囲外であるか否かを判定する判定手段と、前記比較手段で算出された差の値が所定範囲外であると前記判定手段が判定した場合に、不正行為の発生を出力する出力手段と、を備えたことを特徴とするパチンコ遊技場の保安装置を要旨としている。
【００１０】
また、請求項２に記載の本発明は、請求項１に記載のパチンコ遊技場の保安装置において、前記状態検出手段からの前記状態信号を所定の多重信号に変換する手段を備え、前記第１の入力手段は、前記多重信号を、前記状態検出手段からの前記状態信号として入力すること、を特徴とするパチンコ遊技場の保安装置を要旨としている。また、請求項３に記載の本発明は、請求項１又は請求項２に記載のパチンコ遊技場の保安装置において、前記出力手段は、前記判定手段の判定結果を、当該保安装置から離れた位置に配設された所定の端末装置へ所定の伝送路を介して出力すること、を特徴とするパチンコ遊技場の保安装置を要旨としている。
【００１１】
また更に、請求項４に記載の本発明は、請求項３に記載のパチンコ遊技場の保安装置において、当該保安装置は、所定の隔離手段に収納されて外部から操作不能に設けられたこと、を特徴としている。
そして、請求項５に記載の本発明は、請求項３又は請求項４に記載のパチンコ遊技場の保安装置において、前記出力手段は、前記第２の入力手段によって入力された管理データを前記端末装置へ出力すること、を特徴としている。
【００１２】
また、請求項６に記載の本発明は、請求項３ないし請求項５の何れかに記載のパチンコ遊技場の保安装置において、当該パチンコ遊技場にて人の侵入や火災の発生等を検出するために設けられた他の保安機器からの検出信号を入力する第３の入力手段を備えると共に、前記出力手段は、前記第３の入力手段によって入力された前記検出信号を前記端末装置へ出力すること、を特徴としている。
【００１３】
【作用及び発明の効果】
上記のように構成された請求項１に記載のパチンコ遊技場の保安装置においては、第１の入力手段が、状態検出手段から管理装置へ出力される各パチンコ機又はその関連機器の稼働状態を表す所定の状態信号を、状態信号の管理装置への出力とは別の系統から入力し、第２の入力手段が、管理装置によって前記状態信号に基づき算出された管理データを入力する。
【００１４】
そして、データ算出手段が、第１の入力手段によって入力された状態信号に基づいて、管理装置が算出する管理データと同一の管理データを算出し、比較手段が、第２の入力手段によって入力された管理データと、データ算出手段により算出された管理データとを比較し、第２の入力手段によって入力された管理データとデータ算出手段により算出された管理データとの差を算出する。そして更に、判定手段が、比較手段で算出された差の値が所定範囲外であるか否かを判定し、出力手段が、比較手段で算出された差の値が所定範囲外であると判定手段で判定された場合に、不正行為の発生を出力する。
【００１５】
つまり、請求項１に記載の保安装置は、状態検出手段から出力された状態信号に基づき、管理装置とは独立して管理データを算出し、その算出した管理データと管理装置が算出した管理データとを比較して、不正行為の有無を判定するようにしている。
【００１６】
よって、パチンコ遊技場の従業員が、管理装置の演算プログラムや状態検出手段から管理装置へ至るまでの信号経路等に何等かの細工を加えた場合には、管理装置にて算出される管理データと、当該保安装置のデータ算出手段によって算出される管理データとが一致しなくなり、この結果、判定手段により不正行為の発生が判定されて、その旨が出力手段から出力される。
【００１７】
従って、請求項１に記載の保安装置によれば、パチンコ遊技場の従業員が実際の利益と管理データから把握される利益との差額を着服する、といった不正行為の発生を的確に検出することができ、これにより、パチンコ遊技場を適正に運営することができるようになる。
【００１８】
次に、請求項２に記載の保安装置では、請求項１に記載の保安装置において、状態検出手段からの状態信号が所定の多重信号に変換され、第１の入力手段が、この多重信号を、状態検出手段からの状態信号として入力するようにしている。このような請求項２に記載の保安装置によれば、パチンコ遊技場を適正に運営することができるようになる。
次に、請求項３に記載の保安装置では、請求項１又は請求項２に記載の保安装置において、出力手段が、判定手段の判定結果を、当該保安装置から離れた位置に配設された所定の端末装置へ所定の伝送路を介して出力するようにしている。このような請求項３に記載の保安装置によれば、上記端末装置をパチンコ遊技場の経営者が常駐している場所に設置しておくことにより、経営者は、パチンコ遊技場から離れた場所に居ながらも、不正行為の有無を常に監視することができるようになる。また、パチンコ遊技場の従業員に対して、当該装置によって常に監視されていることを告知しておくことにより、不正行為の発生を未然に防止することができる。
【００１９】
そしてこの場合、請求項４に記載のように、当該保安装置を所定の隔離手段に収納して、外部から操作不能に設けるようにしておけば、当該装置の信頼性を向上させることができる。尚、隔離手段としては、例えば金庫のようにロック機構を備えた丈夫な金属ボックスを用いることができる。
【００２０】
一方、請求項５に記載の保安装置では、請求項３又は請求項４に記載の保安装置において、出力手段が、第２の入力手段によって入力された管理データを前記端末装置へ出力するようにしている。このような保安装置によれば、経営者は、管理装置によって算出された本来の管理データをも、離れた場所から監視することができるようになる。そして、従来より管理装置（ホール管理コンピュータ）としては、算出した管理データを所定の通信回線を介して経営者側の端末装置へ出力するものもあるが、この場合には、判定結果用の伝送路と管理データ用の伝送路とが共用化されて、経済的な効果を向上させることができる。
【００２１】
次に、請求項６に記載の保安装置では、請求項３ないし請求項５の何れかに記載の保安装置において、第３の入力手段が、パチンコ遊技場にて人の侵入や火災の発生等を検出するために設けられた他の保安機器からの検出信号を入力し、出力手段が、第３の入力手段によって入力された検出信号を前記端末装置へ出力するようにしている。
【００２２】
このような請求項６に記載の保安装置によれば、他の保安機器によって異常が検出されたことを、経営者がいち早く知ることができるようになり、非常に便利である。尚、保安機器としては、人が居ないはずの時間帯に窓や扉が開かれたことを検出する防犯装置や、火災の発生を検出する火災報知器等を対象とすることができる。
【００２３】
【実施例】
以下、本発明が適用された実施例のパチンコ遊技場について説明する。
図２に示すように、本実施例のパチンコ遊技場２には、多数のパチンコ機４と玉貸機（図２では図示省略）とを交互に並べた遊技島６が複数（図２では２つ）構成されており、各遊技島６には紙幣両替機（以下、単に両替機という）８も配設されている。尚、図２において、遊技島６は、一列のパチンコ機４で構成されているように表されているが、実際にはパチンコ機４を背中合わせに２列に並べて構成されている。
【００２４】
また、パチンコ遊技場２の所定位置には、遊技者が景品交換のために計数しようとするパチンコ玉を受け入れて、その数を計数するカウンタ１０と、当該パチンコ遊技場２の営業状態を管理するための様々な管理データを算出するホール管理コンピュータ（以下、ホールコンピュータという）１２と、火災の発生を検出するための火災報知器１４と、当該パチンコ遊技場２の窓や扉等が壊されたり無理に開けられたことを検出するための防犯装置１６とが設けられている。更に、当該パチンコ遊技場２の出入口付近には、夫々、人検出センサ１８ａ，１８ｂが配設されており、ホールコンピュータ１２の付近にも、人検出センサ１８ｃが配設されている。
【００２５】
ここで、各パチンコ機４からは、後述する種々の信号を夫々伝達するための複数の信号線からなる２系統の信号配線４ａ，４ｂが伸びており、一方の信号配線４ａは、当該パチンコ遊技場２における適宜位置に設けられた複数の端子盤２０ａ〜２０ｇ…の何れかに接続され、各端子盤２０ａ〜２０ｇ…の相互間を接続する複数の信号線からなる信号ケーブル２２を介して、ホールコンピュータ１２に接続されている。また、カウンタ１０からも２系統の信号線１０ａ，１０ｂが伸びており、そのうちの信号線１０ａの方も、何れかの端子盤（図２においては２０ａ）及び信号ケーブル２２を介してホールコンピュータ１２に接続されている。尚、カウンタ１０は、計数したパチンコ玉の数を表す計数データを、上記各信号線１０ａ，１０ｂから夫々全く同様に出力するように構成されている。
【００２６】
一方、当該パチンコ遊技場２の適宜位置には、光ファイバケーブル２４によって互いに接続された複数の接続ボックス２６ａ〜２６ｅ…が配設されており、各パチンコ機４から伸びた信号配線４ｂと、カウンタ１０から伸びた信号線１０ｂと、ホールコンピュータ１２から伸びて、ホールコンピュータ１２が算出した管理データを出力するための信号線１２ａとが、何れかの接続ボックス２６ａ〜２６ｅ…に接続されている。また、上述した火災報知器１４，防犯装置１６，及び人検出センサ１８ａ〜１８ｃからの検出信号や、両替機８及びホールコンピュータ１２等の各装置に設けられて、それらが操作されたことを検出する操作検出センサ（図示せず）からの検出信号も、何れかの接続ボックス２６ａ〜２６ｅ…に入力されるように構成されている。
【００２７】
尚、両替機８に設けられた操作検出センサは、両替機８の扉が開かれたことを検出するものである。また、図２は、カウンタ１０，ホールコンピュータ１２，火災報知器１４，及び防犯装置１６が接続ボックス２６ｄに接続され、パチンコ遊技場２の出口付近に配設された人検出センサ１８ａが接続ボックス２６ｅに接続され、パチンコ遊技場２の入口付近に配設された人検出センサ１８ｂが接続ボックス２６ｃに接続された場合を表している。
【００２８】
そして、各接続ボックス２６ａ〜２６ｅ…を接続する光ファイバケーブル２４の終端には、後述するように、各接続ボックス２６ａ〜２６ｅ…を介して取り込んだ種々のデータに基づき不正行為の有無を検出するセキュリティコンピュータ２８が接続されており、セキュリティコンピュータ２８は、所定の伝送路（例えば、公衆通信回線や専用通信回線）３０を介して、当該パチンコ遊技場２の経営者が常駐する事務所等に配設された端末装置３２に接続されている。
【００２９】
次に、各パチンコ機４から伸びた信号配線４ａ，４ｂについて、図３を用いて説明する。まず、各パチンコ４機の補給皿４０には、図示しない配給樋から夫々分岐した供給筒４２を介して、入賞時に遊技者へ払い出されるパチンコ玉（以下、セーフ玉という）が補給されている。また、パチンコ機４から発射されたパチンコ玉（以下、アウト玉という）は、パチンコ機４下部のアウト玉排出口４４から図示しない回収樋へ排出され、その後、上記配給樋へ供給される。
【００３０】
ここで、供給筒４２とアウト玉排出口４４とには、そこを通過したパチンコ玉の数に応じた計数信号を出力する玉計数器４６，４８が夫々設けられており、各玉計数器４６，４８からの信号線４６ａ，４８ａは、パチンコ機４の裏側に設けられた中継基板５０に接続されている。また、各パチンコ機４には、外部から衝撃が加えられたことを検出する振動センサ５２が取り付けられており、振動センサ５２からの信号線５２ａも中継基板５０に接続されている。また更に、中継基板５０には、そのパチンコ機４の一方隣の玉貸機５４から伸びて、貸し出した玉数に応じた計数信号が出力される信号線５４ａも接続されている。
【００３１】
そして、図３に示すように、各玉計数器４６，４８及び玉貸機５４からの信号線４６ａ，４８ａ，５４ａは、中継基板５０によって夫々２系統に分岐され、一方の系統が、中継基板５０から伸びて信号配線４ａとして何れかの端子盤２０ａ〜２０ｇ…に接続される。また、分岐された他方の系統は、振動センサ５２からの信号線５２ａと共に中継基板５０から伸びて、信号配線４ｂとして何れかの接続ボックス２６ａ〜２６ｅ…に接続される。
【００３２】
つまり、パチンコ機４の中継基板５０からは、信号配線４ａによって、各玉計数器４６，４８と玉貸機５４からの３つの計数信号が夫々出力され、それに振動センサ５２からの検出信号を加えた４つの信号が、信号配線４ｂによって出力されている。尚、信号配線４ａ及び信号配線４ｂは、夫々、コネクタ５６ａ，５６ｂを介して中継基板５０に接続されている。
【００３３】
また、図２及び図３では図示されていないが、パチンコ機４からは、自己が特賞状態であることを示す特賞信号を出力するための信号線や、特定の始動入賞口にパチンコ玉が入賞して特賞状態にするか否かの判定動作を開始したことを示すスタート信号を出力するための信号線等が伸びており、このようなパチンコ機４の動作状態を表す信号用の信号線も、夫々、何れかの端子盤２０ａ〜２０ｇ…及び接続ボックス２６ａ〜２６ｅ…に接続されている。
【００３４】
次に、図２に示した各接続ボックス２６ａ〜２６ｅ…及びセキュリティコンピュータ２８の構成について、図４を用いて説明する。尚、図４は、図２に示した接続ボックス２６ａ〜２６ｅ…のうち、接続ボックス２６ｄだけを表しているが、他の接続ボックス２６ａ〜２６ｃ，２６ｅ〜２６ｇ…も、接続ボックス２６ｄと同様に構成されている。
【００３５】
まず、接続ボックス２６ｄには、パチンコ機４から伸びた信号配線４ｂ及び上述した特賞信号やスタート信号用の信号線（図示せず）を始め、両替機８及びホールコンピュータ１２等の操作検出センサ（図４では両替機８），火災報知器１４，防犯装置１６，及び人検出センサ１８ａ〜１８ｃから夫々伸びた信号線が接続される端子盤６０と、カウンタ１０及びホールコンピュータ１２から夫々伸びた信号線１０ｂ，１２ａに接続されて各信号線１０ｂ，１２ａを介して伝送されてきた信号（計数データ及び管理データ）を入力する入力回路６２と、信号処理回路６４と、光ファイバケーブル２４に接続された光ファイバトランシーバ６６と、が設けられている。
【００３６】
このような接続ボックス２６ｄにおいて、端子盤６０に接続された上記各信号線は、端子盤６０を介して信号処理回路６４に接続される。信号処理回路６４は、端子盤６０の各信号線と入力回路６２から夫々信号を取得すると共に、取得した各信号を所定の光多重信号に変換して光ファイバトランシーバ６６へ出力する。そして、光ファイバトランシーバ６６は、信号処理回路６４からの光多重信号を光ファイバケーブル２４に送出すると共に、光ファイバケーブル２４を介して他の接続ボックスから伝送されてきた光多重信号を中継して、光ファイバケーブル２４へ送出する。
【００３７】
従って、各接続ボックス２６ａ〜２６ｅ…の端子盤６０及び入力回路６２を介して入力された各信号は、光ファイバケーブル２４を介してセキュリティコンピュータ２８へ送信されることとなる。
一方、セキュリティコンピュータ２８は、各接続ボックス２６ａ〜２６ｅ…から光ファイバケーブル２４を介して伝送されてきた光多重信号を受信する光ファイバトランシーバ７０と、光ファイバトランシーバ７０によって受信された光多重信号をパラレルの電気信号（２進データ）に復調して出力する信号処理回路７２と、信号処理回路７２からの２進データを入力する入力インタフェース７４と、入力インタフェース７４を介して取得したデータに基づき、後述する各処理を実行するＣＰＵ７６と、ＣＰＵ７６が実行する処理プログラム等を格納するＲＯＭ７８と、ＣＰＵ７６が処理するデータを一時記憶するＲＡＭ８０と、ＣＰＵ７６からの指令に基づき、伝送路３０を介して端末装置３２との間で通信を行う通信ユニット８２と、ＣＰＵ７６からの指令に基づき、記録媒体としてのハードディスクユニット８４，キーボード８６，及びＣＲＴディスプレイ８８との間でデータのやり取りを行う入出力インタフェース９０と、上記各部を接続するデータバス９２と、停電時にも電源供給が可能な電源９４と、電源９４からの電圧を所定の電源電圧に変換して上記各部に供給する電源コントローラ９６と、を備えている。
【００３８】
そして、このようなセキュリティコンピュータ２８は、図２に示すように、ロック機構９８を備えた隔離手段としての金庫Ｋの中に収納されて、外部からは操作することができないようになっている。
ここで、本実施例のパチンコ遊技場２においては、ホールコンピュータ１２が、供給筒４２に設けられた玉計数器４６，アウト玉排出口４４に設けられた玉計数器４８，カウンタ１０，及び玉貸機５４からの各信号や、パチンコ機４からの特賞信号及びスタート信号等に基づいて、各パチンコ機４による当該パチンコ遊技場２の営業状態を管理するための様々な管理データを算出している。
【００３９】
例えば、ホールコンピュータ１２は、玉計数器４６からの計数信号に基づいて、各パチンコ機４のセーフ玉数を累積計数すると共に、玉計数器４８からの計数信号に基づいて、各パチンコ機４のアウト玉数を累積計数し、更に、各パチンコ機４或いは全パチンコ機４の所定期間におけるアウト玉数とセーフ玉数との差（差玉）を、利益状態を表すデータとして算出している。また、パチンコ機から上記特賞信号が出力されている間に計数したセーフ玉数及びアウト玉数を、夫々特に、特賞中セーフ玉数及び特賞中アウト玉数として算出し、その各値と、総セーフ玉数及び総アウト玉数とに基づいて、パチンコ機の入賞特性を把握するための様々なデータを算出している。
【００４０】
そして、当該パチンコ遊技場２の経営者は、ホールコンピュータ１２によって算出された様々な管理データを参照して、パチンコ遊技場２の運営を行っている。
ところが、ホールコンピュータ１２の演算プログラムや、各パチンコ機４からホールコンピュータ１２へ至るまでの配線経路（信号配線４ａや信号ケーブル２２）等に、何等かの細工が加えられると、ホールコンピュータ１２からは正確な管理データが出力されなくなって、経営者がパチンコ遊技場２の営業状態を正確に把握できなくなる。そして、この結果、パチンコ遊技場の従業員が、実際の利益と管理データから把握される利益との差額を着服する、といった不正行為を行う可能性がある。
【００４１】
そこで、本実施例のパチンコ遊技場２では、ホールコンピュータ１２とは別個にセキュリティコンピュータ２８を設け、このセキュリティコンピュータ２８が、後述する各処理を実行することによって、ホールコンピュータ１２の動作を常時監視すると共に、当該パチンコ遊技場２で発生した様々な異常をいち早く検出できるようにしている。
【００４２】
以下、セキュリティコンピュータ２８のＣＰＵ７６が実行する各処理について、図５〜図７を用いて説明する。
まず、図５はセキュリティコンピュータ２８で実行されるモニタ処理を表すフローチャートである。尚、このモニタ処理は、所定時間毎に繰り返して実行されている。
【００４３】
図５に示すように、モニタ処理の実行が開始されると、まずステップ（以下、単にＳと記す）１１０にて、各パチンコ機４に夫々対応した玉計数器４６及び玉計数器４８からの計数信号を入力し、また、各パチンコ機４からの特賞信号やスタート信号も入力する。そして、続くＳ１２０にて、玉貸機５４からの計数信号を入力し、続くＳ１３０にて、カウンタ１０からの計数データを入力する。尚、上記Ｓ１１０〜Ｓ１３０によって、第１の入力手段としての処理が実行されている。
【００４４】
そして、続くＳ１４０では、Ｓ１１０〜Ｓ１３０の処理によって当該パチンコ遊技場２の各部から直接入力した各信号やデータに基づいて、ホールコンピュータ１２にて算出される各管理データと同一の管理データを夫々算出する、データ算出手段としての処理を実行する。
【００４５】
続くＳ１５０では、ホールコンピュータ１２から出力された管理データを入力する第２の入力手段としての処理を実行し、続くＳ１６０にて、Ｓ１５０で入力した管理データとＳ１４０で算出した管理データとの差を算出する、比較手段としての処理を実行する。尚、Ｓ１６０では、ホールコンピュータ１２で算出される各管理データの夫々について、Ｓ１４０で算出した各管理データとの差が求められる。
【００４６】
そして、続くＳ１７０にて、Ｓ１６０で算出された差の値が所定範囲外であるか否かを判定する判定手段としての処理を実行し、差の値が所定範囲外ではないと判定した場合には、続くＳ１８０にて、Ｓ１５０で入力したホールコンピュータ１２からの管理データを、通信ユニット８２及び伝送路３０を介して経営者側の端末装置３２へ送信する、出力手段としての処理を実行し、その後、当該モニタ処理を終了する。
【００４７】
また、Ｓ１７０にて、Ｓ１６０で算出した差の値が所定範囲外であると判定した場合には、Ｓ１９０に移行して、異常の発生を報知する出力手段としての処理を実行した後、Ｓ１８０に進む。
尚、Ｓ１７０の処理は、ホールコンピュータ１２で算出される各管理データの夫々について実行され、何れか１つの管理データについてでも上記差の値が所定範囲外になれば、Ｓ１９０の処理が実行される。そして、Ｓ１９０で実行される報知とは、異常の発生を示すコードや、上記差の値が所定範囲を超えた管理データの種別等を、通信ユニット８２及び伝送路３０を介して経営者側の端末装置３２へ送信することにより実行される。
【００４８】
つまり、このモニタ処理では、ホールコンピュータ１２へ入力される信号と全く同じ信号を、ホールコンピュータ１２とは別個に入力すると共に（Ｓ１１０〜Ｓ１３０）、その入力した信号に基づいてホールコンピュータ１２と同一の管理データを算出し（Ｓ１４０）、更に、ホールコンピュータ１２で算出された各管理データと、自己が算出した管理データとの差を常時算出するようにしている（Ｓ１６０）。そして、両管理データの差の値が所定範囲外になった場合には（Ｓ１７０：ＹＥＳ）、経営者側の端末装置３２へ、異常の発生を報知するようにしている（Ｓ１９０）。
【００４９】
次に、図６はセキュリティコンピュータ２８で実行されるセキュリティ処理を表すフローチャートである。尚、このセキュリティ処理は、上述したモニタ処理と並行して所定時間毎に実行されている。
図６に示すように、セキュリティ処理の実行が開始されると、まず、Ｓ２１０にて、火災報知器１４及び防犯装置１６（以下、これらを保安機器ともいう）からの検出信号を入力する第３の入力手段としての処理を実行し、続くＳ２２０にて、各人検出センサ１８ａ〜１８ｃからの検出信号を入力する。そして、続くＳ２３０にて、各パチンコ機４に設けられた振動センサ５２からの検出信号を入力し、続くＳ２４０にて、各両替機８及びホールコンピュータ１２等に設けられた操作検出センサからの検出信号を入力する。
【００５０】
そして、続くＳ２５０にて、図７に示す報知判定処理を実行した後、当該セキュリティ処理を終了する。
ここで、図７に示すように、報知判定処理の実行が開始されると、まず、Ｓ３１０にて、保安機器（火災報知器１４或いは防犯装置１６）から異常検出出力があったか否かを判定し、異常検出出力があったと判定した場合には、続くＳ３２０にて、異常を検出した保安機器の出力を経営者側の端末装置３２へ送信する、出力手段としての処理を実行する。
【００５１】
そして、Ｓ３２０の処理を実行するか、或いは、Ｓ３１０にて保安機器からの異常検出出力がないと判定した場合には、Ｓ３３０に移行して、人検出センサ１８ａ〜１８ｃの何れかによって人が検出されたか否かを判定し、人が検出されていないと判定した場合には、そのまま当該報知判定処理を終了するが、人が検出されたと判定した場合には、続くＳ３４０にて、現在の時刻が当該パチンコ遊技場２に人が居ないはずの時間帯（無人時間中）であるか否かを判定する。
【００５２】
そして、Ｓ３４０にて無人時間中ではないと判定した場合には、当該報知判定処理をそのまま終了するが、無人時間中であると判定した場合には、続くＳ３５０に進んで、何れかの振動センサ５２或いは何れかの操作検出センサによって、異常が検出されたか否か（各センサからの出力があったか否か）を判定する。そして、Ｓ３５０にて、異常が検出されていないと判定した場合には、当該報知判定処理をそのまま終了するが、異常が検出されたと判定した場合には、続くＳ３６０に進んで、検出された異常の内容を経営者側の端末装置３２へ送信した後、当該報知判定処理を終了する。
【００５３】
つまり、このセキュリティ処理では、ホールコンピュータ１２へは入力されない他の検出機器（火災報知器１４，防犯装置１６，人検出センサ１８ａ〜１８ｃ，振動センサ５２，操作検出センサ）からの検出信号を夫々入力するようにしている（Ｓ２１０〜Ｓ２４０）。そして、火災報知器１４或いは防犯装置１６からの異常検出出力があった場合には（Ｓ３１０：ＹＥＳ）、その旨を無条件で経営者側の端末装置３２へ送信し（Ｓ３２０）、人検出センサ１８ａ〜１８ｃによって人の居ることが検出された場合には（Ｓ３３０：ＹＥＳ）、無人時間中で、且つ、振動センサ５２或いは操作検出センサによって、当該パチンコ遊技場２内の何れかの装置に操作が加えられたことが検出されたときに（Ｓ３４０：ＹＥＳ，Ｓ３５０：ＹＥＳ）、その旨を経営者側の端末装置３２へ送信するようにしている（Ｓ３６０）。
【００５４】
以上詳述したように、本実施例のセキュリティコンピュータ２８は、ホールコンピュータ１２と同じ管理データを独立して算出すると共に、算出した管理データとホールコンピュータ１２からの管理データとの差を算出し、その差の値が所定範囲外になると、異常が発生した旨を経営者側の端末装置３２へ送信するようにしている。
【００５５】
よって、このようなセキュリティコンピュータ２８を備えた本実施例のパチンコ遊技場２においては、従業員が、ホールコンピュータ１２の演算プログラムや、各パチンコ機４からホールコンピュータ１２へ至るまでの配線経路等に何等かの細工を加えると、ホールコンピュータ１２で算出される管理データと、セキュリティコンピュータ２８で算出される管理データとの差が大きくなって、異常（不正行為）の発生が検出され、その旨が経営者側の端末装置３２へ送信される。
【００５６】
従って、本実施例のパチンコ遊技場２によれば、従業員がパチンコ遊技場２の各部に細工を施して実際の利益と管理データから把握される利益との差額を着服する、といった不正行為の発生を確実に検出することができ、これによって、経営者は、パチンコ遊技場２を適正に運営することができるようになる。
【００５７】
そして、本実施例のセキュリティコンピュータ２８では、異常の発生を、経営者が常駐している所に設置された端末装置３２へ報知するようにしているため、経営者は、パチンコ遊技場２に居なくても、不正行為の有無を常に監視することができる。また、パチンコ遊技場２の従業員に対して、当該装置によって常に監視されていることを告知しておけば、不正行為の発生を未然に防止することができる。また更に、本実施例では、セキュリティコンピュータ２８を、ロック機構９８を備えた金庫Ｋに収納して、外部から操作できないようにしている。従って、当該装置の信頼性を向上させることができる。
【００５８】
また、本実施例のセキュリティコンピュータ２８は、ホールコンピュータ１２から出力された管理データも、経営者側の端末装置３２へ送信するようにしている。従って、経営者は、ホールコンピュータ１２によって算出された本来の管理データをも、常時見ることができるようになる。しかも、この場合、異常発生時の報知用の伝送路と管理データを送信するための伝送路とが共用化されて、経済的に有利である。
【００５９】
一方、本実施例のセキュリティコンピュータ２８は、火災報知器１４，防犯装置１６，人検出センサ１８ａ〜１８ｃ，振動センサ５２，及び操作検出センサからの各検出信号を夫々入力して、パチンコ遊技場２に火災が発生したことや、深夜等に何者かがパチンコ遊技場２に侵入して何れかの装置を操作したことを検出し、その旨を経営者側の端末装置３２へ報知するようにしている。
【００６０】
従って、このようなセキュリティコンピュータ２８を備えたパチンコ遊技場２によれば、ホールコンピュータ１２に対する不正行為以外の異常をも、経営者がいち早く知ることができるようになり、その後の対応を素早く行うことができて非常に便利である。
【００６１】
尚、上記実施例のセキュリティコンピュータ２８は、ホールコンピュータ１２が算出する全ての管理データについて、その値の妥当性を判定するものであったが、ホールコンピュータ１２が算出する管理データのうちの一部について判定を行うようにしてもよい。
【００６２】
また、上記実施例では、ホールコンピュータ１２が、玉計数器４６，４８からの信号、パチンコ機４自身からの信号、カウンタ１０からの信号、及び玉貸機５４からの信号に基づいて、管理データを算出するものであったが、本発明は、ホールコンピュータ１２が上記各信号以外の信号に基づいて管理データを算出する場合にも適用することができる。
【図面の簡単な説明】
【図１】  本発明の構成を例示するブロック図である。
【図２】  実施例のパチンコ遊技場を説明する説明図である。
【図３】  実施例のパチンコ遊技場に設けられた接続ボックス及びセキュリティコンピュータを表す構成図である。
【図４】  実施例のパチンコ機から伸びた信号配線を説明する説明図である。
【図５】  実施例のセキュリティコンピュータで実行されるモニタ処理を表すフローチャートである。
【図６】  実施例のセキュリティコンピュータで実行されるセキュリティ処理を表すフローチャートである。
【図７】  セキュリティ処理内の報知判定処理を表すフローチャートである。
【符号の説明】
２…パチンコ遊技場    ４…パチンコ機    ４ａ，４ｂ…信号配線
６…遊技島    ８…両替機    １０…カウンタ
１０ａ，１０ｂ，１２ａ，４６ａ，４８ａ，５２ａ，５４ａ…信号線
１２…ホール管理コンピュータ（ホールコンピュータ）    １４…火災報知器
１６…防犯装置    １８ａ〜１８ｃ…人検出センサ
２０ａ〜２０ｇ，６０…端子盤    ２２…信号ケーブル
２４…光ファイバケーブル    ２６ａ〜２６ｅ…接続ボックス
２８…セキュリティコンピュータ    ３０…伝送路    ３２…端末装置
４６，４８…玉計数器    ５２…振動センサ    ５４…玉貸機
６２…入力回路    ６４，７２…信号処理回路
６６，７０…光ファイバトランシーバ    ７４…入力インタフェース
７６…ＣＰＵ    ７８…ＲＯＭ    ８０…ＲＡＭ    ８２…通信ユニット
９８…ロック機構    Ｋ…金庫
【図１】
0003804077.tif 000002
【図２】
0003804077.tif 000003
【図３】
0003804077.tif 000004
【図４】
0003804077.tif 000005
【図５】
0003804077.tif 000006
【図６】
0003804077.tif 000007
【図７】
0003804077.tif 000008